(57)【要約】      （修正有）【課題】媒体搬送ガイドによりガイドし媒体幅寄せガイドにより媒体を媒体基準面に押し当てて搬送する媒体搬送機構において、媒体幅寄せガイドと媒体搬送ガイドの隙間に媒体端部が入り込むことを確実に防止し、スキューやジャムの発生、媒体破損の発生を防止する。【解決手段】幅狭媒体７のときは媒体幅寄せガイド１０を媒体搬送路１２内に移動し前記幅狭媒体７を搬送しながら前記媒体７を前記媒体基準面２に押し当てる媒体搬送機構１において、前記媒体幅寄せガイド１０の断面をコの字形状とした。或いは、媒体が所定の位置まで搬送されたときに搬送を停止し、媒体幅寄せガイド１０を前記媒体基準面２の方向に移動して前記媒体を前記媒体基準面２に押し当てた後に搬送するようにした媒体搬送機構１において、前記媒体幅寄せガイド１０の断面をコの字形状とした。【選択図】図１
2012218828.tif 000002
【特許請求の範囲】
【請求項１】
媒体搬送路により搬送される媒体の一方側端を押し当てる媒体基準面と、
対向して配置し媒体の高さ方向を規制する媒体搬送ガイドと、
媒体搬送方向に沿って配置した媒体搬送手段と、
前記媒体搬送路に設けられ、幅狭媒体かどうかを検出する媒体幅検出センサと、
搬送方向に迎え角の付いた、断面がコの字形状の媒体幅寄せガイドと、を備え、
前記媒体幅検出センサにより幅狭媒体が検出されたときは、前記媒体幅寄せガイドを前記媒体搬送路内に移動し前記媒体搬送手段により前記幅狭媒体を搬送しながら前記媒体幅寄せガイドにより前記媒体基準面に前記幅狭媒体を押し当てるようにしたことを特徴とする媒体搬送機構。
【請求項２】
媒体搬送路により搬送される媒体の一方側端を押し当てる媒体基準面と、
対向して配置し媒体の高さ方向を規制する媒体搬送ガイドと、
媒体搬送方向に沿って配置した媒体搬送手段と、
前記媒体搬送路に設けられ、媒体が所定の位置まで搬送されたかどうかを検出する媒体位置検出センサと、
搬送方向に迎え角の付いた、断面がコの字形状の媒体幅寄せガイドと、を備え、
前記媒体位置検出センサにより前記媒体の先端を検出したときは、前記媒体搬送手段を停止し、前記媒体幅寄せガイドを前記媒体基準面方向に移動して前記媒体を前記媒体基準面に押し当て、前記媒体搬送手段を駆動して前記媒体を搬送するようにしたことを特徴とする媒体搬送機構。
【発明の詳細な説明】
【技術分野】
【０００１】
本発明は、媒体幅寄せガイドにより媒体を媒体基準面に押し当てて搬送する媒体搬送機構に関するものである。
【背景技術】
【０００２】
一般に、金融機関等に設置されている現金自動預払機などの自動取引装置では、挿入口より入出金伝票などの単票や冊子状の通帳等の媒体を挿入し取引履歴等の印字などの所定の処理を行った後に排出するようになっている。この印字などの所定の処理を正しく行うためには媒体を基準面に押し当てて搬送する必要がある。
【０００３】
このために、従来の媒体搬送機構１０１は、図３（ａ）の上面図に示したように、矢印Ｃのように挿入され媒体搬送路１２により搬送される幅広媒体６や幅狭媒体７（以下、「媒体」という）の一方側面（図中右側面）を矢印Ｂのように押し当てる媒体基準面２と、この媒体基準面２と反対側に媒体幅を規制する固定ガイド３と、前記媒体の高さ方向を規制する上部搬送ガイド４および下部搬送ガイド５を対向させて設けている。
【０００４】
そして、媒体搬送路１２には媒体搬送方向に沿って複数の搬送ローラ８が設けられており、搬送ローラ８の下方には、図示しない駆動部により搬送ローラ８に当接および離間するクランプローラ１５が設けられている。
【０００５】
また、媒体搬送路１２の固定ガイド３と媒体基準面２の間に、媒体幅を検出するための媒体幅検出センサ９ａと、幅狭媒体７をガイドするために搬送方向に迎え角の付いた板形状の媒体幅寄せガイド１１０が設けられている。
【０００６】
この媒体幅寄せガイド１１０は、図示しない駆動部により図３（ｂ）の断面図に示したように、矢印Ａおよび矢印Ｄのように上下動して搬送路内に移動させたり搬送路外に退避させることができるようになっており、下部搬送ガイド５にはこの媒体幅寄せガイド１１０が搬送路内に入り込むための孔が設けられている。
【０００７】
以上の構成により、従来の媒体搬送機構１０１は、矢印Ｃのように媒体が挿入されると、クランプローラ１５を搬送ローラ８に当接させて媒体を取り込み、媒体幅検出センサ９ａにより幅が広い幅広媒体６であるか幅が狭い幅狭媒体７かを判定し、幅広媒体６であったときは、幅広媒体６の搬送の妨げにならないように媒体幅寄せガイド１１０を矢印Ｄのように搬送路外に退避させ、一方、挿入された媒体が幅狭媒体７であったときは、媒体幅寄せガイド１１０を矢印Ａのように搬送路内に上昇させ、幅狭媒体７を媒体基準面２の方向にガイドして媒体基準面２に押し当てながら搬送するようになっている。
【０００８】
或いは、図４に示したように、媒体幅寄せガイド１１０に替えて媒体幅寄せガイド１１１を設けるとともに、媒体の搬送を一旦停止させる位置を検出するための媒体停止位置検出センサ９ｂを設け、矢印Ｃ方向に挿入され搬送ローラ８とクランプローラ１５により搬送される幅広媒体６の先端が検出されたときに搬送を一旦停止し、媒体幅寄せガイド１１１を矢印Ｆ方向に移動させ、幅広媒体６を媒体基準面２に矢印Ｂのように押し当てた後、搬送するようにしていた（例えば、特許文献１および特許文献２参照）
【先行技術文献】
【特許文献】
【０００９】
【特許文献１】特開昭６３−１０６２５５号公報
【特許文献２】特開２０００−２４７４９８号公報
【発明の概要】
【発明が解決しようとする課題】
【００１０】
しかしながら、上記従来の媒体搬送機構１０１、すなわち図３の上下動タイプの媒体幅寄せガイド１１０では、図５（ａ）に示したように、上部搬送ガイド４や下部搬送ガイド５との間に形成される隙間１１ａや隙間１１ｂに幅狭媒体７の端部が入り込み、スキューやジャムが発生したり、媒体が破損してしまうという問題があった。
【００１１】
また、図４の幅寄せタイプの媒体幅寄せガイド１１１でも、図５（ｂ）に示したように、上部搬送ガイド４や下部搬送ガイド５との間に形成される隙間１１ｃや隙間１１ｄに幅狭媒体７の端部が入り込み、スキューやジャムが発生したり、媒体が破損してしまうという問題があった。
【課題を解決するための手段】
【００１２】
本発明は、前述の課題を解決するため次の構成を採用する。すなわち、媒体搬送路により搬送される媒体の一方側端を押し当てる媒体基準面と、対向して配置し媒体の高さ方向を規制する媒体搬送ガイドと、媒体搬送方向に沿って配置した媒体搬送手段と、前記媒体搬送路に設けられ、幅狭媒体かどうかを検出する媒体幅検出センサと、搬送方向に迎え角の付いた、断面がコの字形状の媒体幅寄せガイドと、を備え、前記媒体幅検出センサにより幅狭媒体が検出されたときは、前記媒体幅寄せガイドを前記媒体搬送路内に移動し前記媒体搬送手段により前記幅狭媒体を搬送しながら前記媒体幅寄せガイドにより前記媒体基準面に前記幅狭媒体を押し当てるようにした。
【００１３】
或いは、別の発明では、媒体搬送路により搬送される媒体の一方側端を押し当てる媒体基準面と、対向して配置し媒体の高さ方向を規制する媒体搬送ガイドと、媒体搬送方向に沿って配置した媒体搬送手段と、前記媒体搬送路に設けられ、媒体が所定の位置まで搬送されたかどうかを検出する媒体位置検出センサと、搬送方向に迎え角の付いた、断面がコの字形状の媒体幅寄せガイドと、を備え、前記媒体位置検出センサにより前記媒体の先端を検出したときは、前記媒体搬送手段を停止し、前記媒体幅寄せガイドを前記媒体基準面方向に移動して前記媒体を前記媒体基準面に押し当て、前記媒体搬送手段を駆動して前記媒体を搬送するようにした
【発明の効果】
【００１４】
本発明の媒体搬送機構によれば、以上のように構成したので、媒体幅寄せガイドと媒体搬送ガイドの隙間に媒体端部が入り込むことを確実に防止し、スキューやジャムの発生、媒体破損の発生を防止することができる。
【図面の簡単な説明】
【００１５】
【図１】実施例１の媒体搬送機構の構成図および動作説明図である。
【図２】実施例２の媒体搬送機構の構成図および動作説明図である。
【図３】従来の媒体搬送機構の構成図および動作説明図である。
【図４】従来の媒体搬送機構の構成図および動作説明図である。
【図５】従来の媒体搬送機構の動作説明図である。
【発明を実施するための形態】
【００１６】
以下、本発明に係わる実施の形態例を、図面を用いて説明する。図面に共通する要素には同一の符号を付す。
【実施例１】
【００１７】
（構成）
図１は、実施例１の媒体搬送機構１の構成図である。図１（ａ）の上面図に示したように、実施例１の媒体搬送機構１は、矢印Ｃのように挿入され媒体搬送路１２により搬送される媒体の一方側端（図中右側面）を矢印Ｂのように押し当てる媒体基準面２と、この媒体基準面２と反対側に媒体幅を規制する固定ガイド３と、媒体の高さ方向を規制する上部搬送ガイド４および下部搬送ガイド５を対向させて設けている。
【００１８】
そして、媒体搬送路１２には、媒体搬送手段として、媒体搬送方向に沿って複数の搬送ローラ８が設けられており、搬送ローラ８の下方には、図示しない駆動部により搬送ローラ８に当接または離間するクランプローラ１５が設けられている。
【００１９】
また、媒体搬送路１２の固定ガイド３と媒体基準面２の間には、媒体幅を検出する媒体幅検出センサ９ａと、幅狭媒体７をガイドするために搬送方向に迎え角の付いた図１（ｃ）或いは図１（ｄ）に示したａ１部拡大図のような断面がコの字形状の媒体幅寄せガイド１０が設けられている。
【００２０】
この媒体幅寄せガイド１０は、図示しない駆動部により図１（ｂ）矢印Ａおよび矢印Ｄのように上下動して図１（ｂ）実線のように搬送路内に移動させたり、図１（ｂ）破線のように搬送路外に退避させることができるようになっており、上部搬送ガイド４および下部搬送ガイド５にはこの媒体幅寄せガイド１０が搬送路内に入り込むための孔が設けられている。
【００２１】
（動作）
以上の構成により実施例１の媒体搬送機構１は、以下のように動作する。この動作を前出図１を用いて以下詳細に説明する。
【００２２】
まず、矢印Ｃのように媒体が挿入されると、クランプローラ１５を搬送ローラ８に当接させ、挿入された媒体を取り込んで搬送する。
【００２３】
媒体幅検出センサ９ａにより幅広媒体６であるか幅狭媒体７かを判定し、幅広媒体６であったときは、幅広媒体６の搬送の妨げにならないように媒体幅寄せガイド１０を矢印Ｄのように搬送路外に退避し、一方、挿入された媒体が幅狭媒体７であったときは、媒体幅寄せガイド１０を矢印Ａのように搬送路内に上昇させ、媒体幅寄せガイド１０の迎え角を設けた端部（図１のａ１部側）により幅狭媒体７を矢印Ｂのように媒体基準面２の方向にガイドして押し当てながら矢印Ｃ方向に搬送する。
【００２４】
そして、所定の処理を行った後、矢印Ｃ方向とは逆方向に搬送し、排出する。このときも、媒体挿入時と同様、幅広媒体６であったときは、幅広媒体６の搬送の妨げにならないように媒体幅寄せガイド１０を矢印Ｄのように搬送路外に退避したままとし、一方、挿入された媒体が幅狭媒体７であったときは、媒体幅寄せガイド１０を矢印Ａのように搬送路内に上昇させたままとし、媒体幅寄せガイド１０のもう一方の迎え角を設けた端部（図１のａ２部側）により幅狭媒体７を矢印Ｂのように媒体基準面２の方向にガイドして押し当てながら排出する。勿論、排出するときは、媒体幅寄せガイド１０を退避させて排出するようにしてもよい。
【００２５】
以上のように、媒体幅寄せガイド１０により媒体を媒体基準面２の方向にガイドして押し当てて搬送するときに、図１（ｂ）の断面図に示したように、媒体幅寄せガイド１０の断面をコの字形状とし当該コの字形状により媒体端部の幅方向および上下方向を規制するようになっているので、媒体端部が媒体幅寄せガイド１０と上部搬送ガイド４や下部搬送ガイド５との隙間１１ｅに入り込むことがない。
【００２６】
（実施例１の効果）
以上のように、実施例１の媒体搬送機構によれば、媒体幅寄せガイドを備え幅狭媒体のときは前記媒体幅寄せガイドを搬送路内に移動させて媒体を媒体基準面に当接させて搬送する媒体搬送機構において、前記媒体幅寄せガイドの断面をコの字形状とし当該コの字の内側により媒体端部の幅方向および上下方向を規制するようにしたので、媒体幅寄せガイドと媒体搬送ガイドの隙間に媒体端部が入り込むことを確実に防止し、スキューやジャムの発生、媒体の破損を防止することができる。
【実施例２】
【００２７】
（構成）
図２は、実施例２の媒体搬送機構１の構成図である。同図に示したように、実施例２の媒体搬送機構１では、実施例１の媒体幅寄せガイド１０に替えて媒体幅寄せガイド１１が設けられており、媒体の搬送を一旦停止させる位置を検出するための媒体停止位置検出センサ９ｂが設けられている。
【００２８】
そして、媒体幅寄せガイド１１は、図２（ｃ）のｂ部拡大図に示したように、その断面がコの字形状になっており、媒体基準面２とは反対側の媒体搬送路１２のホームポジションに備え、幅広媒体６を幅寄せするときにホームポジションより矢印Ｆのように搬送路内に移動するようになっている。その他の構成は実施例１の媒体搬送機構と同様であるので、簡略化のためにその詳細な説明は省略する。
【００２９】
（動作）
以上の構成により、実施例２の媒体搬送機構１は、以下のように動作する。この動作を前出図２を用いて以下詳細に説明する。
【００３０】
まず、媒体が矢印Ｃのように挿入されると、クランプローラ１５を搬送ローラ８に当接させ、挿入された媒体を取り込んで搬送する。そして、媒体停止位置検出センサ９ｂまで媒体が搬送され、媒体先端が検出されると搬送ローラ８の駆動を停止する。
【００３１】
そして、媒体を媒体基準面２に幅寄せするために搬送ローラ８からクランプローラ１５を離し媒体をクランプ状態から解放する。
【００３２】
そして、媒体幅寄せガイド１１を駆動させ、媒体端部を矢印Ｆ方向に押して媒体基準面２に矢印Ｂのように押し当てる。
【００３３】
このとき、媒体幅寄せガイド１１は、図２（ｂ）、（ｃ）に示したように、その断面をコの字形状とし当該コの字形状により媒体端部の幅方向および上下方向を規制するようにしたので、媒体端部が媒体幅寄せガイド１１と上部搬送ガイド４や下部搬送ガイド５との隙間１１ｆに入り込むことを防止することができる。
【００３４】
（実施例２の効果）
以上のように実施例２の媒体搬送機構によれば、媒体幅寄せガイドを備え媒体が所定の位置まで搬送されたときに前記媒体幅寄せガイドを移動させて媒体を媒体基準面に押し当てて搬送する媒体搬送機構において、前記媒体幅寄せガイドの断面をコの字形状とし当該コの字形状により媒体端部の幅方向及び上下方向を規制するようにしたので、媒体幅寄せガイドと媒体搬送ガイドの隙間に媒体端部が入り込むことを確実に防止し、スキューやジャムの発生、媒体破損の発生を防止することができる。
【００３５】
《その他の変形例》
以上の実施例の説明では、幅狭媒体７をガイドする媒体幅寄せガイド１０および幅広媒体６をガイドする媒体幅寄せガイド１１をそれぞれ設ける例を説明したが、媒体幅寄せガイド１０および媒体幅寄せガイド１１を両方備え、幅狭媒体７のときは媒体幅寄せガイド１０を上昇（矢印Ａ方向）させてガイドし、幅広媒体６のときは媒体幅寄せガイド１０を下降（矢印Ｄ方向）させ、媒体幅寄せガイド１１を媒体基準面２方向（矢印Ｆ方向）に移動させて、媒体端部を媒体基準面２に押し当てて搬送するようにした場合であっても同様の効果を奏することができる。
【産業上の利用可能性】
【００３６】
本発明は、所定の処理を行うために、媒体幅寄せガイドにより媒体を媒体基準面に押し当てて搬送する媒体搬送機構を備える媒体処理装置に広く用いることができる。
【符号の説明】
【００３７】
１    媒体搬送機構
２    媒体基準面
３    固定ガイド
４    上部搬送ガイド
５    下部搬送ガイド
６    幅広媒体
７    幅狭媒体
８    搬送ローラ
９ａ  媒体幅検出センサ
９ｂ  媒体停止位置検出センサ
１０、１１  媒体幅寄せガイド
１１ａ〜１１ｆ  隙間
１２  媒体搬送路
１５  クランプローラ
【図１】
2012218828.tif 000003
【図２】
2012218828.tif 000004
【図３】
2012218828.tif 000005
【図４】
2012218828.tif 000006
【図５】
2012218828.tif 000007